【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
通信網を通じて共有ウェブサイトにアクセスする複数のユーザ間でコンテンツを共有するための装置によって行われる方法であって、
要求しているユーザによって選択されたコンテンツへのリンクの要求信号を受信するステップであって、前記リンクは共有しているユーザによって前記共有ウェブサイト上で発行され、前記要求信号は、前記リンクによって識別される前記コンテンツと関連する少なくとも１つのアクセス特性、および、前記要求しているユーザと関連する少なくとも１つのユーザ特性を含み、前記要求信号は前記装置内の認可プロセッサに伝達される、ステップと、
前記認可プロセッサによって、前記要求信号中の前記少なくとも１つのアクセス特性および前記少なくとも１つのユーザ特性を、コンテンツ固有のアクセスレベルを表すデータを含むコンテンツ固有の認証情報と比較することにより、前記コンテンツに対して前記要求しているユーザに利用可能なアクセスのレベルを決定するステップと、
前記決定されたアクセスのレベルに従って表示デバイス上で前記要求されたコンテンツへのアクセスを、インターネットインタフェースを介して提供するステップと、
を含む、前記方法。
【請求項２】
前記アクセスのレベルは、（ａ）前記コンテンツへの完全アクセス、（ｂ）前記コンテンツへの制限されたアクセス、および、（ｃ）前記コンテンツにアクセスできない、のうちの少なくとも１つを含む、請求項１に記載の方法。
【請求項３】
前記少なくとも１つのアクセス特性は、前記コンテンツを、（ａ）自由にアクセスできる、（ｂ）サブスクリプションサービスの一部としてアクセスできる、（ｃ）料金ベース構成によりアクセスできる、のうちの少なくとも１つであると特定する、請求項１に記載の方法。
【請求項４】
前記少なくとも１つのユーザ特性は、前記ユーザがアクセスすることができるコンテンツ提供者から利用できるコンテンツを識別する情報を含む、請求項１に記載の方法。
【請求項５】
前記少なくとも１つのユーザ特性は、前記要求しているユーザに提供されるべき前記アクセスのレベルを決定するためのユーザ固有の識別子を含む、請求項１に記載の方法。
【請求項６】
前記決定されたアクセスレベルは、前記要求されたコンテンツへの完全アクセスに満たないアクセスを提供し、さらに、
前記要求しているユーザに前記要求されたコンテンツの一部へのアクセスを提供するアクティビティを含む、請求項１に記載の方法。
【請求項７】
前記要求しているユーザが前記要求されるコンテンツへの完全なアクセスを取得できるようにする情報を含むメッセージを生成するアクティビティと、
前記要求しているユーザに前記メッセージを送信するアクティビティと、をさらに含む、請求項６に記載の方法。
【請求項８】
前記少なくとも１つのアクセス特性は、前記コンテンツにアクセスすることができる少なくとも１つのタイプのデバイスを識別する情報を含み、かつさらに、
前記アクセス特性情報を使用して、前記少なくとも１つのデバイス上で前記要求されたコンテンツにアクセスできるようにするアクティビティを含む、請求項１に記載の方法。
【請求項９】
通信網を通じて共有コンテンツにアクセスできるようにするためのシステムであって、
ウェブサイトで共有されるコンテンツへのアクセスを要求する要求信号を受信する受信機であって、前記コンテンツが一次表示デバイス上に表示され、前記要求信号が前記コンテンツと関連する少なくとも１つのアクセス特性および前記通信網を通じて要求しているユーザと関連する少なくとも１つのユーザ特性を含む、受信機と、
前記要求信号中の前記少なくとも１つのアクセス特性および前記少なくとも１つのユーザ特性を、コンテンツ固有のアクセスレベルを表すデータを含むコンテンツ固有の認証情報と比較することにより、前記コンテンツに対して利用可能なアクセスのレベルを決定する、前記受信機に結合された認可プロセッサと、
前記決定されたアクセスのレベルに従って二次表示デバイス上で前記要求されたコンテンツにアクセスできるようにする前記認可プロセッサに結合されたインターネットインタフェースと、
を含む、前記システム。
【請求項１０】
前記アクセスのレベルは、（ａ）前記コンテンツへの完全アクセス、（ｂ）前記コンテンツへの制限されたアクセス、および、（ｃ）前記コンテンツにアクセスできない、のうちの少なくとも１つを含む、請求項９に記載のシステム。
【請求項１１】
前記少なくとも１つのアクセス特性は、前記コンテンツを、（ａ）自由にアクセスできる、（ｂ）サブスクリプションサービスの一部としてアクセスできる、（ｃ）料金ベース構成によりアクセスできる、のうちの少なくとも１つであると特定する、請求項９に記載のシステム。
【請求項１２】
前記少なくとも１つのユーザ特性は、前記ユーザがアクセスすることができるコンテンツ提供者から利用できるコンテンツを識別する情報を含む、請求項９に記載のシステム。
【請求項１３】
前記少なくとも１つのユーザ特性は、前記要求しているユーザに提供されるべき前記アクセスのレベルを判断するためのユーザ固有の識別子を含む、請求項９に記載のシステム。
【請求項１４】
前記認可プロセッサは、前記要求されるコンテンツへの前記アクセスのレベルが完全アクセスに満たないと決定すると、前記要求しているユーザに前記要求されたコンテンツの一部へのアクセスを提供する、請求項９に記載のシステム。
【請求項１５】
前記認可プロセッサは、ユーザが前記要求されるコンテンツへの完全なアクセスを取得できるようにする情報を含むメッセージを生成し、かつ、
前記要求されるコンテンツへの完全に満たないアクセスを与えられている前記要求しているユーザに、前記インターネットインタフェースを介して前記メッセージを送信する、請求項１４に記載のシステム。
【請求項１６】
前記少なくとも１つのアクセス特性は、前記コンテンツにアクセスすることができる少なくとも１つのタイプのデバイスを識別する情報を含み、前記認可プロセッサは前記情報に応じて前記少なくとも１つのデバイスを識別し、前記識別された少なくとも１つのタイプのデバイス上で前記要求されるコンテンツに前記インターネットインタフェースを介してアクセスできるようにする、請求項９に記載のシステム。
【請求項１７】
通信網を通じて複数のユーザ間でコンテンツを共有するための装置によって行われる方法であって、
コンテンツのソースから共有されるコンテンツを選択するアクティビティであって、前記コンテンツは一次表示デバイス上に表示されている、アクティビティと、
共有プロセッサによって、前記選択されたコンテンツに対応するリンクを生成するアクティビティであって、前記リンクは通信網を通じて前記選択されたコンテンツにアクセスできるようになるために必要なレベルを識別する、前記選択されたコンテンツと関連する少なくとも１つのアクセス特性を含む、アクティビティと、
前記複数のユーザが前記選択されたコンテンツへのアクセスを要求することができる前記通信網上のある場所で前記選択されたコンテンツへの前記生成されたリンクを発行するアクティビティであって、前記発行されたリンクは二次表示デバイス上で見ることができる、アクティビティと、
を含む、前記方法。
【請求項１８】
前記アクセスのレベルは、（ａ）前記コンテンツへの完全アクセス、（ｂ）前記コンテンツへの制限されたアクセス、および、（ｃ）前記コンテンツにアクセスできない、のうちの少なくとも１つを含む、請求項１７に記載の方法。
【請求項１９】
前記リンクはさらに、コンテンツを（ａ）自由にアクセスできる、（ｂ）サブスクリプションサービスの一部としてアクセスできる、（ｃ）料金ベース構成によりアクセスできる、のうちの少なくとも１つであると特定するデータを含む、請求項１７に記載の方法。
【請求項２０】
前記レベルは、前記要求されるコンテンツへの完全に満たないアクセスを提供し、かつさらに、
前記要求しているユーザに前記要求されるコンテンツの一部へのアクセスを提供するア
クティビティを含む、請求項１７に記載の方法。
【請求項２１】
前記要求されるコンテンツへの完全に満たないアクセスを有するユーザからの要求信号の受信に応答して前記要求しているユーザが前記要求されるコンテンツへの完全なアクセスを取得できるようにする情報を含むメッセージを生成するアクティビティと、
前記要求しているユーザに前記メッセージを送信するアクティビティと、をさらに含む、請求項２０に記載の方法。
【請求項２２】
前記少なくとも１つのアクセス特性は、前記コンテンツにアクセスすることができる少なくとも１つのタイプのデバイスを識別する情報を含む、請求項１に記載の方法。
【請求項２３】
通信網を通じて共有コンテンツにアクセスできるようにするためのシステムであって、
通信網を通じて共有されるようにユーザによって選択されたコンテンツに対応するリンクを生成する共有プロセッサであって、前記コンテンツは一次表示デバイス上に表示されており、前記リンクは通信網を通じて前記選択されたコンテンツにアクセスできるようになるために必要なレベルを識別する前記選択されたコンテンツと関連する少なくとも１つのアクセス特性を含む、共有プロセッサと、
前記複数のユーザが前記選択されたコンテンツへのアクセスを要求できる前記通信網上のある場所で前記選択されたコンテンツへの前記生成されたリンクを発行し、前記発行されたリンクは二次表示デバイス上に表示される、前記共有プロセッサに結合されたインターネットインタフェースと、
を含む、前記システム。
【請求項２４】
前記アクセスのレベルは、（ａ）前記コンテンツへの完全なアクセス、（ｂ）前記コンテンツへの制限されたアクセス、および、（ｃ）前記コンテンツにアクセスできない、のうちの少なくとも１つを含む、請求項２３に記載のシステム。
【請求項２５】
前記リンクはさらに、コンテンツを、（ａ）自由にアクセスできる、（ｂ）サブスクリプションサービスの一部としてアクセスできる、（ｃ）料金ベース構成によりアクセスできる、のうちの少なくとも１つであると特定するデータを含む、請求項２３に記載のシステム。
【請求項２６】
前記レベルは、前記要求されるコンテンツへの完全に満たないアクセスを提供し、かつ、前記共有プロセッサは、前記インターネットインタフェースを介して前記要求しているユーザに前記要求されるコンテンツの一部へのアクセスを提供する、請求項２３に記載のシステム。
【請求項２７】
前記要求されるコンテンツへの完全に満たないアクセスを有するユーザからの要求信号の受信に応答して、前記要求しているユーザが前記要求されるコンテンツへの完全アクセスを取得できるようにする情報を含むメッセージを生成し、前記インターネットインタフェースを介して前記要求しているユーザに前記メッセージを送信する、前記共有プロセッサに結合された認可プロセッサをさらに含む、請求項２６に記載のシステム。
【請求項２８】
前記少なくとも１つのアクセス特性は、前記コンテンツがアクセスされることができる少なくとも１つのデバイスのタイプを識別する情報を含む、請求項２３に記載のシステム。